(57)【特許請求の範囲】
【請求項１】
ラテンアルファベット文字又は数字文字のホゾ継ぎ構造漢字化漢字入力方法であって、グ
ループ化したラテン文字とラテン文字の漢字文字形態ホゾ継ぎ構造とは、１対１で対応し
ており、及び／又は数字と数字の漢字文字形態ホゾ継ぎ構造とは、１対１で対応しており
、前記漢字文字形態ホゾ継ぎ構造は、ラテン文字又は数字のすべての筆画を漢字字形の書
き方式及び割合でブロック化したものであり、且つ一部又は全部のブロック化漢字筆画の
接続部が重ね合わせ、重なり又は挿通し、前記グループ化したラテン文字は、グループ化
したラテン大文字及び／又はグループ化したラテン小文字を含み、
前記グループ化したラテン大文字とラテン文字の漢字文字形態ホゾ継ぎ構造との対応関係
は、以下に示されるとおりであり、
0006714227.tif 000014
前記グループ化したラテン小文字とラテン文字の漢字文字形態ホゾ継ぎ構造との対応関係
は、以下に示されるとおりであり、
0006714227.tif 000015
前記アラビア数字と数字の漢字文字形態ホゾ継ぎ構造との対応関係は、以下に示されると
おりであり、
0006714227.tif 000016
前記漢数字と数字の漢字文字形態ホゾ継ぎ構造との対応関係は、以下に示されるとおりで
あり、
0006714227.tif 000017
漢字文字形態構造及びその鏡像、逆像、回転を利用して中国漢字を入力することを特徴と
する漢字入力方法。
【請求項２】
ラテン大文字Ｃ、Ｆ、Ｈ、Ｋ、Ｎ、Ｕ、Ｙ、Ｚのうちのいずれかを入力すると、ラテン大
文字Ａに対応した漢字文字形態構造が表示され、
ラテン大文字Ｇ、Ｍ、Ｏ、Ｗ、Ｐのうちのいずれかを入力すると、ラテン大文字Ｄに対応
した漢字文字形態構造が表示され、
ラテン大文字Ｓを入力すると、ラテン大文字Ｅに対応した漢字文字形態ホゾ継ぎ構造が表
示され、
ラテン大文字Ｌ、Ｔ、Ｖ、Ｘのうちのいずれかを入力すると、ラテン大文字Ｊに対応した
漢字文字形態ホゾ継ぎ構造が表示され、
ラテン大文字Ｒを入力すると、ラテン大文字Ｑに対応した漢字文字形態ホゾ継ぎ構造が表
示され、
ラテン小文字ｃ、ｆ、ｈ、ｌ、ｎ、ｔ、ｕ、ｚのうちのいずれかを入力すると、ラテン小
文字ａに対応した漢字文字形態ホゾ継ぎ構造が表示され、
ラテン小文字ｄ、ｐ、ｍ、ｗのうちのいずれかを入力すると、ラテン小文字ｂに対応した
漢字文字形態ホゾ継ぎ構造が表示され、
ラテン小文字ｏ、ｓ、ｋのいずれかを入力すると、ラテン小文字ｅに対応した漢字文字形
態ホゾ継ぎ構造が表示され、
ラテン小文字ｒ、ｖ、ｘ、ｙのうちのいずれかを入力すると、ラテン小文字ｊに対応した
漢字文字形態ホゾ継ぎ構造が表示されることを特徴とする請求項１に記載のラテンアルフ
ァベット文字又は数字文字のホゾ継ぎ構造漢字化漢字入力方法。
【請求項３】
ラテン大文字とラテン文字の漢字文字形態ホゾ継ぎ構造との対応関係は、以下に示される
とおりであり、
0006714227.tif 000018
ラテン小文字とラテン文字の漢字文字形態ホゾ継ぎ構造との対応関係は、以下に示される
とおりである
0006714227.tif 000019
ことを特徴とする請求項１に記載のラテンアルファベット文字又は数字文字のホゾ継ぎ構
造漢字化漢字入力方法。
【請求項４】
漢字文字形態ホゾ継ぎ構造及びその変形体では、２つのブロック化漢字筆画は、接続中心
の周りに回転可能であり、少なくとも１つのブロック化漢字筆画の少なくとも１つの接続
点は、それに接続されたブロック化漢字筆画に沿って移動可能であることを特徴とする請
求項１に記載のラテンアルファベット文字又は数字文字のホゾ継ぎ構造漢字化漢字入力方
法。
【請求項５】
異なる前記漢字文字形態ホゾ継ぎ構造の色が異なることを特徴とする請求項１に記載のラ
テンアルファベット文字又は数字文字のホゾ継ぎ構造漢字化漢字入力方法。
【請求項６】
漢字がその複数の解釈に関連付けてデータベースに記憶されており、漢字又はいずれかの
解釈が入力されると、表示画面に表示されている内容には、関連付けられているほかの内
容も含まれることを特徴とする請求項１に記載のラテンアルファベット文字又は数字文字
のホゾ継ぎ構造漢字化漢字入力方法。
【請求項７】
２６個のラテン大文字の一部又は全部及び／又は２６個のラテン小文字の一部又は全部に
対してその一部又はすべての筆画が漢字字形の割合でブロック化され、一部又は全部のブ
ロック化漢字筆画部品のホゾ継ぎ構造接続部が重ね合わせ、重なり又は挿通することで、
ラテン文字漢字化用の漢字文字形態ホゾ継ぎ構造が形成され、及び／又は、
０〜９の１０個のアラビア数字文字の一部又は全部の筆画が漢字字形の割合でブロック化
され、一部又は全部のブロック化筆画部品のホゾ継ぎ構造接続部が重ね合わせ、重なり又
は挿通することで、数字文字漢字化用の漢字文字形態ホゾ継ぎ構造が形成され、及び／又
は、
壱〜拾の１０個の漢数字の一部又は全部の筆画が漢字字形の割合でブロック化され、一部
又は全部のブロック化筆画部品のホゾ継ぎ構造接続部が重ね合わせ、重なり又は挿通する
ことで、数字漢字化用の漢字文字形態ホゾ継ぎ構造が形成され、及び／又は、
旧漢字の一部又は全部の筆画が漢字字形の割合でブロック化され、一部又は全部のブロッ
ク化筆画部品のホゾ継ぎ構造接続部が重ね合わせ、重なり又は挿通することで、旧漢字の
文字形態ホゾ継ぎ構造が形成されることを特徴とする請求項１に記載のラテンアルファベ
ット文字又は数字文字のホゾ継ぎ構造漢字化漢字入力方法。
【請求項８】
ブロック化漢字筆画部品は、漢字化用の漢字構成部品のうちの漢字筆画実体部品であるこ
とを特徴とする請求項７に記載のラテンアルファベット文字又は数字文字のホゾ継ぎ構造
漢字化漢字入力方法。
【請求項９】
漢字文字形態ホゾ継ぎ構造には、一段接続部材と二段接続部材が設けられ、同一漢字文字
形態ホゾ継ぎ構造の２つのブロック化筆画の接続部が一段接続部材を介して接続され、２
つのブロック化筆画が一段接続部材の接続中心の周りに任意の方向に回転可能であり、異
なる漢字文字形態ホゾ継ぎ構造は、互いに二段接続部材を介して接続され、接続するとき
に異なる漢字文字形態ホゾ継ぎ構造は、相対的に固定されていることを特徴とする請求項
７に記載のラテンアルファベット文字又は数字文字のホゾ継ぎ構造漢字化漢字入力方法。
【請求項１０】
三段接続部材をさらに備え、二段接続部材を介して接続された形態構造とほかの漢字文字
形態ホゾ継ぎ構造は、三段接続部材を介して接続され、接続するときに異なる漢字文字形
態ホゾ継ぎ構造は、相対的に固定されていることを特徴とする請求項９に記載のラテンア
ルファベット文字又は数字文字のホゾ継ぎ構造漢字化漢字入力方法。
【請求項１１】
前記一段接続部材、二段接続部材及び三段接続部材は、いずれもホゾ穴、ホゾ口、ホゾ溝
差込用の凹溝又は突起であり、
前記一段接続部材、二段接続部材及び三段接続部材は、接続栓、磁石又は面ファスナーに
交換してもよく、
さらに釘状部を備え、前記漢字文字形態構造及び漢字文字形態構造における漢字筆画形態
部品は、釘状部を介して接続及び／又は固定され得ることを特徴とする請求項９に記載の
ラテンアルファベット文字又は数字文字のホゾ継ぎ構造漢字化漢字入力方法。
【請求項１２】
漢字文字形態ホゾ継ぎ構造では、接続栓を接続部材として接続を行う場合、ブロック化漢
字筆画部品の一部又は全部は、接続部材箇所には貫通溝が設けられ、１つのブロック化漢
字筆画部品の接続点がそれに接続されたブロック化漢字筆画部品の貫通溝に沿って移動及
び／又は回転可能であることを特徴とする請求項１１に記載のラテンアルファベット文字
又は数字文字のホゾ継ぎ構造漢字化漢字入力方法。
【請求項１３】
さらに仕上げ部分を備え、前記仕上げ部分は、ブロック化漢字筆画部品に取り外し可能に
接続され且つその端面がブロック化漢字筆画部品の端面のサイズ、寸法と同じであること
を特徴とする請求項１１に記載のラテンアルファベット文字又は数字文字のホゾ継ぎ構造
漢字化漢字入力方法。
【請求項１４】
長さが異なる複数の漢字筆画実体部品を含み、前記漢字筆画実体部品は、
前記漢字筆画実体部品には、一端から他端まで延びている接続機構が設けられ、且つ接続
機構が漢字筆画実体部品の両端面を超えない構造１と、
前記漢字筆画実体部品は、両端が繋がって且つ接続部が互いに回転可能な複数のサブ実体
部品構造から構成され、前記漢字筆画実体部品には、１つ以上の接続機構が設けられる構
造２との２種のうちの１つを用いることを特徴とする請求項８に記載のラテンアルファベ
ット文字又は数字文字のホゾ継ぎ構造漢字化漢字入力方法。
【請求項１５】
前記漢字筆画実体部品の一部又は全部は、ホゾ継ぎ構造の差込部材から構成され、前記差
込部材は、
一端が面一となり、他端には差込装置が設けられ、表面に接続機構がない形態１と、
一端が面一となり、他端には差込装置が設けられ、表面に接続機構を有する形態２と、
両端ともに差込装置が設けられ、表面に接続機構がない形態３と、
両端ともに差込装置が設けられ、表面に接続機構を有する形態４とを少なくとも含むこと
を特徴とする請求項１４に記載のラテンアルファベット文字又は数字文字のホゾ継ぎ構造
漢字化漢字入力方法。
【発明の詳細な説明】
【技術分野】
【０００１】
本発明は、入力画面を用いた漢字入力及び漢字実物教授の技術分野に関し、具体的には、
漢字形態構成部品、形成されるホゾ継ぎ構造漢字に関し、漢字構成の展示、国際的な中国
語教授において漢字教授のラテン文字化、漢字教授のデジタル化、漢字教授書きの国際化
及び漢字入力の国際化を可能にする。
【背景技術】
【０００２】
中国語情報処理の技術分野及び漢字教授分野では、１９８０年代から今まで、様々な漢字
教授方法があるが、漢字教授のラテン文字化、漢字教授及び書きの国際化を提案するのは
、本発明が初めてである。漢字をラテン文字化した図形（外観）から漢字筆画をラテン文
字に転写して、記憶するための字母根拠を提供することで、中国語を勉強するラテン文字
を母語とする学生の記憶を強化させる。漢字符号化入力方法も様々であり、字形コード、
発音コード及び字形音声複合コードの３種類に分けられる。この３種類の入力法は、独自
の長所と短所があり、発音コードでは、発音が間違うこと、及び同音異義語が多すぎると
いう欠点があり、字形コードでは、漢字の分割が複雑であり、字根が多すぎて記憶するの
が困難であるという欠点があり、使用者にとっては、いずれも簡便な方法と言えない。そ
れは、中国でのすべての漢字入力法の現状である。
【０００３】
入力速度の向上を追求するだけで、漢字字形を散々に破壊して、漢字文化にも巨大な害を
与える。中国文字自身の意味が無視されてしまうため、漢字部首の法則が把握しにくくな
り、記憶するのが困難であり、その結果、漢字入力及び漢字学習のために巨大な人的資源
、物的資源や資金が浪費されてしまう。
【発明の概要】
【発明が解決しようとする課題】
【０００４】
本発明は、従来技術に存在する技術的課題を少なくとも解決するために、特に漢字形態構
成部品、形成されるホゾ継ぎ構造漢字を革新的に提案し、国際的な中国語教授において漢
字のラテン文字化、書きの国際化及び漢字入力の国際化を可能にすることを目的とする。
【課題を解決するための手段】
【０００５】
本発明の上記目的を達成させるために、本発明の第１態様によれば、本発明は、漢字構
成部品を提供し、この漢字構成部品は、長さが異なる複数の漢字筆画形態部品を備え、前
記漢字筆画形態部品は、
前記漢字筆画形態部品の中央及び／又は一端、又は両端、又は中央と両端の両方には、異
なる漢字筆画形態部品を接続するための接続機構が設けられる形態構造１と、
前記漢字筆画形態部品には、一端から他端まで延びている接続機構が設けられ且つ接続機
構が漢字筆画形態部品の両端面を超えない形態構造２と、
前記漢字筆画形態部品は、両端が繋がって且つ接続部が互いに回転可能な複数のサブ形態
部品構造から構成され、前記漢字筆画形態部品の１箇所又は複数個所には、接続機構が設
けられる形態構造３との３種類の構造のうちの１つを用いる。
【０００６】
本発明に係る漢字構成部品は、ラテン文字に対応した形態構造、数字に対応した形態構
造を構成することができ、接続機構であるホゾ継ぎ構造の回転及び移動によって、漢字に
必要な部首を形成してすべての漢字を形成（書き）することができ、これは、本発明の中
核であり、字母文字と漢字文字には対応関係がないような従来の考え方を変えて、2つの
全く異なる文字体系の間の障壁を破り障害を取り除き、束縛を破り、国際的な中国語教授
における漢字書き国際化に適用できる学習方法、及び漢字入力法の国際化方法を発明し、
漢字をラテン文字化した形態ホゾ継ぎ構造の（ｇａｏ´ｓ）アート活字を構成している。
【０００７】
本発明の一好適実施形態では、接続機構が設けられていない長さが異なる複数の構造１
、構造２及び構造３における漢字筆画形態部品をさらに備える。簡単な字体を実現するの
に役立つ。
【０００８】
本発明の別の好適実施形態では、前記漢字筆画形態部品の一部又は全部は、ホゾ継ぎ構
造差込部材から構成され、前記ホゾ継ぎ構造差込部材は、
一端が滑らかで、他端には差込装置が設けられ、表面に接続機構がない形態１と、
一端が滑らかで、他端には差込装置が設けられ、表面に接続機構を有する形態２と、
両端ともに差込装置が設けられ、表面に接続機構がない形態３と、
両端ともに差込装置が設けられ、表面に接続機構を有する形態４とを少なくとも含む。
【０００９】
ホゾ継ぎ構造差込部材を用いることによって、漢字筆画形態部品の長さを調整しやすく
し、漢字筆画形態部品の長さのデザインを簡素化させ、少ない漢字筆画形態部品だけで漢
字のコンフィギュレーションを実現できる。
【００１０】
本発明の別の好適実施形態では、漢字筆画形態部品のうち、１つを標準長の漢字筆画形
態部品とし、残りの漢字筆画形態部品の長さを漢字筆画形態部品の標準長の０．２５−４
倍とする。それによって、すべての割合の字体が実現可能である。
【００１１】
本発明の別の好適実施形態では、前記接続機構は、面ファスナー、磁石又はホゾ継ぎ構造
である。以上の構造により異なる漢字筆画形態部品が接続される。ホゾ穴、ホゾ口、ホゾ
溝、及びホゾ継ぎ構造を接続する凹溝又は突起を設けることで、ホゾ継ぎ構造が接続され
、２つの筆画部品もホゾ継ぎ構造を用いて接合される。また、一部の筆画の間にホゾ、ホ
ゾホール、ホゾ仕口を設けて込み栓止め方法によって文字筆画と筆画とを互いに接合して
接続してもよく、具体的には、長短ホゾ、栓打ちホゾ、ありホゾ、抱肩ホゾ、栓差しホゾ
、留め先差しホゾ、挟頭ホゾの構造を用いることができ、ホゾ継ぎ構造は、古い工法であ
りながら、長い歴史に亘って形成された文化的形態である。物理的な結合、分離、接合、
挿入を活用して、中国の古典文化を最も網羅的に示唆したり表現したりするこができるシ
ンボルを具体化して、ラテン文字の漢字化に適したモダンアートとなる視覚的な言語に変
換して、漢字の筆画に隠した魂を表現し、ホゾ継ぎ構造によって漢字筆画記号に生命力を
付与する。
【００１２】
本発明の別の好適実施形態では、漢字筆画形態部品の中央及び一端には、ホゾ穴、ホゾ口
、ホゾ溝、又は面ファスナー、又は磁石が設けられる場合、もしくは、漢字筆画形態部品
の中央及び両端には、ホゾ穴、ホゾ口、ホゾ溝、又は面ファスナー、又は磁石が設けられ
る場合、ホゾ穴、ホゾ口、ホゾ溝、面ファスナー又は磁石は、一体に接続され得る。それ
は、漢字筆画形態部品の多様化を実現する。
【００１３】
本発明の別の好適実施形態では、漢字筆画形態部品は、二次元漢字筆画形態部品又は三次
元漢字筆画形態部品であり、
【００１４】
二次元漢字筆画形態部品である場合、ホゾ穴、ホゾ口、ホゾ溝は、二次元漢字筆画形態部
品を貫通しており、面ファスナー、磁石及び差込用の凹溝又は突起は、二次元漢字筆画形
態部品の表面に設けられ、
【００１５】
三次元漢字筆画形態部品である場合、ホゾ穴、ホゾ口、ホゾ溝は、三次元漢字筆画形態部
品の表面から三次元漢字筆画形態部品の内部の所定深さに設けられるか、三次元漢字筆画
形態部品の四面には、ホゾ穴、ホゾ口、ホゾ溝が開けられるか、又は三次元漢字筆画形態
部品の対向する両面には、ホゾ穴、ホゾ口、ホゾ溝は、三次元漢字筆画形態部品の対向面
を貫通して設けられ、面ファスナー、磁石及び差込用の凹溝又は突起は、三次元漢字筆画
形態部品の少なくとも１つの表面に設けられる。
【００１６】
前記漢字構成部品は、釘状部をさらに備え、二次元漢字筆画形態部品及び三次元漢字筆画
形態部品は、釘状部を介して接続及び／又は固定され得る。
【００１７】
本発明の一好適実施形態では、二次元漢字筆画形態部品は、具体的には、等幅又は等幅で
はない矩形又は角の丸い矩形、好ましくは矩形である。三次元漢字筆画形態部品は、柱体
であり、具体的には、等径又は等径ではない円柱体又は角柱体、好ましくは等径円柱体で
ある。本発明に係る漢字筆画形態部品の構造は、漢字を構成する偏旁部首の構造とは全く
異なる。
【００１８】
二次元漢字筆画形態部品又は三次元漢字筆画形態部品を設置することによって、二次元漢
字及び三次元漢字が形成されて、学習や応用に利便性を与える。
【００１９】
本発明の別の好適実施形態では、接続栓をさらに備え、接続機構がホゾ穴、ホゾ口、ホゾ
溝である場合、前記接続栓は、２つ又は３つ漢字筆画形態部品の接続機構を貫通して該２
つ又は３つの漢字筆画形態部品を一体に接続し、前記接続栓の末端が漢字筆画形態部品か
ら突出し又は漢字筆画形態部品と面一になる。接続栓により漢字がコンフィギュレーショ
ンされ、接続栓の末端を漢字筆画形態部品から突出させることにより、引っ掛けやすくす
る。
【００２０】
本発明の別の好適実施形態では、漢字筆画形態部品に使用される材料は、木材、プラスチ
ック、金属、ガラスの１つ又はこれらの任意の組み合わせである。複数の材料が使用可能
であるため、実現も表示の多様化も容易になる。
【００２１】
本発明の上記目的を達成させるために、本発明の第２態様によれば、本発明は、ラテンア
ルファベット文字又は数字文字を漢字化させる漢字ホゾ継ぎ構造システムを提供し、この
システムは、２６個のラテン大文字の一部又は全部及び／又は２６個のラテン小文字の一
部又は全部に対してその一部又はすべての筆画が漢字字形の割合でブロック化され、ブロ
ック化漢字筆画部品のホゾ継ぎ構造接続部が重ね合わせ、重なり又は挿通することで、ラ
テン文字漢字化用の漢字文字形態構造が形成され、又は、０−９の１０個のアラビア数字
の一部又は全部の筆画が漢字字形の割合でブロック化され、ブロック化筆画部品のホゾ継
ぎ構造接続部が重ね合わせ、重なり又は挿通することで、数字漢字化用の漢字文字形態構
造が形成され、又は、壱〜拾の１０個の漢数字の一部又は全部の筆画が漢字字形の割合で
ブロック化され、ブロック化筆画部品のホゾ継ぎ構造接続部が重ね合わせ、重なり又は挿
通することで、数字漢字化用の漢字文字形態構造が形成される。
【００２２】
本発明に係るラテンアルファベット文字又は数字文字を漢字化させる漢字ホゾ継ぎ構造シ
ステムでは、ラテンアルファベット文字又は数字文字をホゾ継ぎ構造により漢字化させる
ことによって、現代漢字の構築及び表示を実現する。本発明では、長さの異なる棒構造の
漢字筆画形態部品を利用してラテンアルファベット文字及び数字文字を漢字化させ、さら
に漢字化させたラテンアルファベット文字及び数字文字コンフィギュレーションを利用し
て漢字を形成し、それは、従来の漢字の偏旁部首の構造と異なり、外国人が一般的に使用
しているラテン文字及び数字と中国の漢字との間には、両方を繋がるブリッジとして機能
する。
【００２３】
本発明の一好適実施形態では、ブロック化漢字筆画部品は、本発明の漢字化用の漢字形態
構成部品における漢字筆画形態部品である。
【００２４】
本発明の別の好適実施形態では、旧漢字の筆画が漢字字形の割合でブロック化され、ブロ
ック化筆画部品のホゾ継ぎ構造接続部が重ね合わせ、重なり又は挿通することで、旧漢字
の漢字文字形態構造が形成される。旧漢字を利用して現代漢字の構築及び表示が実現され
る。
【００２５】
本発明の別の好適実施形態では、１つの筆画は、書き方向が１つの方向であるとともに折
られることがなく、又は、書き方向の少なくとも１つの角度で折られるものを意味する。
【００２６】
本発明の別の好適実施形態では、漢字文字形態ホゾ継ぎ構造（たとえばラテン文字又は数
字の漢字文字形態ホゾ継ぎ構造）には、一段接続部材と二段接続部材が設けられ、同一漢
字文字形態ホゾ継ぎ構造の２つのブロック化筆画の接続部が一段接続部材を介して接続さ
れ、２つのブロック化筆画が一段接続部材の接続中心の周りに任意方向に回転可能であり
、異なる漢字文字形態ホゾ継ぎ構造は、互いに二段接続部材を介して接続され、接続する
ときに異なる漢字文字形態ホゾ継ぎ構造は、相対的に固定されている。
【００２７】
同一漢字文字形態ホゾ継ぎ構造の２つのブロック化筆画の接続部が一段接続部材を介して
接続され、２つのブロック化筆画が一段接続部材の接続中心の周りに任意方向に回転可能
であり、鏡像、反転、回転などを利用して異なる漢字のコンフィギュレーション及び表示
が実現される。
【００２８】
本発明の別の好適実施形態では、三段接続部材をさらに備え、二段接続部材を介して接続
された形態構造とほかの漢字文字形態ホゾ継ぎ構造は、三段接続部材を介して接続され、
接続するときに異なる漢字文字形態ホゾ継ぎ構造は、相対的に固定されている。三段接続
部材によって複雑な漢字のコンフィギュレーション及び表示が実現される。
【００２９】
本発明の別の好適実施形態では、前記一段接続部材、二段接続部材及び三段接続部材は、
いずれもホゾ穴、ホゾ口、ホゾ溝差込用の凹溝又は突起、接続栓、磁石又は面ファスナー
であり、この実施形態では、さらに釘状部を備え、前記漢字文字形態構造及び漢字文字形
態構造における漢字筆画形態部品は、釘状部を介して接続及び／又は固定され得る。複数
種の接続部材によって組み合わせが多様化されている。
【００３０】
本発明の別の好適実施形態では、漢字文字形態ホゾ継ぎ構造では、接続栓を接続部材とし
て接続を行う場合、ブロック化漢字筆画部品の一部又は全部は、接続部材箇所には貫通溝
が設けられ、１つのブロック化漢字筆画部品の接続点がそれに接続されたブロック化漢字
筆画部品の貫通溝に沿って移動及び／又は回転可能である。このように、漢字文字形態構
造における一部のブロック化漢字筆画部品の水平移動、異なる漢字のコンフィギュレーシ
ョン及び表示が可能になる。
【００３１】
本発明の別の好適実施形態では、さらに仕上げ部分を備え、前記仕上げ部分は、ブロック
化漢字筆画部品に取り外し可能に接続され且つその端面がブロック化漢字筆画部品の端面
のサイズ、寸法と同じである。仕上げ部分によって構造された漢字は、一般的に使用され
ている漢字構造により合わせる。
【００３２】
本発明の上記目的を達成させるために、本発明の第３態様によれば、本発明は、ラテンア
ルファベット文字又は数字文字のホゾ継ぎ構造漢字化漢字入力方法を提供し、この漢字入
力方法では、グループ化したラテンアルファベット文字とラテン文字の漢字文字形態ホゾ
継ぎ構造は、１対１で対応しており、及び／又は数字文字と数字の漢字文字形態ホゾ継ぎ
構造は、１対１で対応しており、前記漢字文字形態ホゾ継ぎ構造は、ラテンアルファベッ
ト文字又は数字文字のすべての筆画を漢字字形の書き方式及び割合でブロック化したもの
であり、且つ一部又は全部のブロック化漢字筆画の接続部が重ね合わせ、重なり又は挿通
し、前記グループ化したラテン文字は、グループ化したラテン大文字及び／又はグループ
化したラテン小文字を含み、前記グループ化したラテン大文字とラテン文字の漢字文字形
態ホゾ継ぎ構造との対応関係は、表１に示されるとおりである。
【００３３】
表１、グループ化したラテン大文字と漢字文字形態ホゾ継ぎ構造との対応関係
0006714227.tif 000002
【００３４】
グループ化したラテン小文字とラテン文字の漢字文字形態ホゾ継ぎ構造との対応関係は、
表２に示されるとおりである。
【００３５】
表２、グループ化したラテン小文字と漢字文字形態ホゾ継ぎ構造との対応関係
0006714227.tif 000003
【００３６】
アラビア数字（Ａｒａｂｉｃ  ｎｕｍｂｅｒｓ）と数字の漢字文字形態ホゾ継ぎ構造との
対応関係は、表３に示されるとおりである。
【００３７】
表３、アラビア数字と漢字文字形態ホゾ継ぎ構造との対応関係
0006714227.tif 000004
【００３８】
漢数字と数字の漢字文字形態ホゾ継ぎ構造との対応関係は、表４に示されるとおりである
。
【００３９】
表４、漢数字と漢字文字形態ホゾ継ぎ構造との対応関係
0006714227.tif 000005
【００４０】
漢字文字形態ホゾ継ぎ構造及びその鏡像、逆像、回転を利用して中国漢字を入力する。
【００４１】
該入力法によれば、漢字の入力及び表示を容易に実施でき、字母文字、数字文字及び漢字
文字には対応関係がないような従来の考え方を変えて、全く異なる文字体系の間の障壁を
破り障害を取り除き、束縛を破り、国際的な中国語教授における漢字書き国際化に適用で
きる学習方法、及び漢字入力法の国際化方法を発明し、漢字をラテン文字化した形態ホゾ
継ぎ構造の（ｇａｏ´ｓ）アート活字を構成している。
【００４２】
本発明の一好適実施形態では、ラテン大文字Ｃ、Ｆ、Ｈ、Ｋ、Ｎ、Ｕ、Ｙ、Ｚのうちのい
ずれかを入力すると、ラテン大文字Ａに対応した漢字文字形態ホゾ継ぎ構造が表示され、
ラテン大文字Ｇ、Ｍ、Ｏ、Ｗ、Ｐのうちのいずれかを入力すると、ラテン大文字Ｄに対応
した漢字文字形態ホゾ継ぎ構造が表示され、
ラテン大文字Ｓを入力すると、ラテン大文字Ｅに対応した漢字文字形態ホゾ継ぎ構造が表
示され、
ラテン大文字Ｌ、Ｔ、Ｖ、Ｘのうちのいずれかを入力すると、ラテン大文字Ｊに対応した
漢字文字形態ホゾ継ぎ構造が表示され、
ラテン大文字Ｒを入力すると、ラテン大文字Ｑに対応した漢字文字形態ホゾ継ぎ構造が表
示され、
ラテン小文字ｃ、ｆ、ｈ、ｌ、ｎ、ｔ、ｕ、ｚのうちのいずれかを入力すると、ラテン小
文字ａに対応した漢字文字形態ホゾ継ぎ構造が表示され、
ラテン小文字ｄ、ｐ、ｍ、ｗのうちのいずれかを入力すると、ラテン小文字ｂに対応した
漢字文字形態ホゾ継ぎ構造が表示され、
ラテン小文字ｏ、ｓ、ｋのいずれかを入力すると、ラテン小文字ｅに対応した漢字文字形
態ホゾ継ぎ構造が表示され、
ラテン小文字ｒ、ｖ、ｘ、ｙのうちのいずれかを入力すると、ラテン小文字ｊに対応した
漢字文字形態ホゾ継ぎ構造が表示される。
【００４３】
複数種の入力方式が実現される。
【００４４】
本発明の別の好適実施形態では、前記異なる漢字文字形態ホゾ継ぎ構造の色が異なるため
、漢字の構成識別及び中国語の学習に寄与する。
【００４５】
本発明の別の好適実施形態では、漢字がその複数種の解釈に関連付けてデータベースに記
憶されており、漢字又はいずれかの解釈が入力されると、表示画面に表示される内容には
、関連付けられているほかの内容も含まれる。
【発明の効果】
【００４６】
本発明は、東洋と西洋の文字の起源、東洋と西洋の文字の分岐進化プロセス、アルファベ
ット文字および象形文字の発展や変化を研究して、何百種の漢字のアート字体とラテンア
ルファベットのアート字体の間の法則を探している。世界の絵画アートの発展歴史を研究
した結果、中国の伝統的なホゾ継ぎ構造と「キュービズム」スタイルからインスピレーシ
ョンと啓示を見つけました。文字筆画構造の間にホゾ継ぎ構造が回転移動可能なスペース
を設計し、変形して漢字に必要な部首を構成して、いずれの漢字も形成することができ、
二次元的な文字を三次元化することで、字母文字と漢字文字についての従来の考え方を変
えて、2つの全く異なる文字体系の間の障壁を破り障害を取り除き、束縛を破り、本発明
のさらなる態様及び利点は、以下の説明に記載され、そのうちの一部は、以下の説明を通
して明らかになるか、又は本発明を実施することにより把握できる。
【図面の簡単な説明】
【００４７】
本発明の上記及び／又はさらなる態様及び利点は、以下の図面を参照しながら実施例を説
明することにより明らかで理解しやすくなる。
【図１】本発明の一好適実施形態における漢字筆画形態部品の模式図である。
【図２】本発明の別の好適実施形態における漢字筆画形態部品の模式図である。
【図３】異なる差込部材から構成された漢字筆画形態部品の模式図である。
【図４】異なる差込部材から構成された漢字筆画形態部品の模式図である。
【図５Ａ】本発明のさらなる好適実施形態における漢字筆画形態部品の模式図及び接続模式図である。
【図５Ｂ】本発明のさらなる好適実施形態における漢字筆画形態部品の模式図及び接続模式図である。
【図６】三段接続部材の模式図である。
【図７】好適実施形態において漢字筆画形態部品を用いて形成された漢字ホゾ継ぎ構造図である。
【図８】図７に示した漢字ホゾ継ぎ構造では異なる漢字筆画形態部品を用いて形成された変形の構造図である。
【図９】本発明の一好適実施形態における構成具体例である。
【発明を実施するための形態】
【００４８】
以下、本発明の実施例を詳細に説明し、前記実施例の例は、図面に示されており、図面を
通じて、同じ又は類似した符号は、同じ又は類似した素子又は同じ又は類似した機能を有
する素子を示す。以下、図面を参照しながら説明する実施例は、例示的なものであり、本
発明を解釈するために過ぎず、本発明を制限するものとして理解すべきではない。
【００４９】
本発明の説明において、なお、特に規定および制限がない限り、用語「取付」、「繋がる
」、「接続」は、広義で理解すべきであり、たとえば、機械的又は電気的に接続されても
よく、２つの素子の内部が連通してもよく、直接繋がってもよく、中間媒体を介して間接
的に繋がってもよく、当業者であれば、具体的な状況に応じて上記用語の具体的な意味を
理解できる。
【００５０】
本発明は、漢字形態構成部品を提供し、図１、図２に示すように、この漢字形態構成部品
は、長さが異なる複数の漢字筆画形態部品を備え、前記漢字筆画形態部品は、下記４種類
の構造のうちの１つを用いる。
【００５１】
構造１：図１（ｂ）−１（ｆ）に示すように、漢字筆画形態部品の中央及び／又は一端、
又は両端、又は中央と両端の両方には、異なる漢字筆画形態部品を接続するための接続機
構が設けられる。
【００５２】
構造２：図１（ｇ）に示すように、漢字筆画形態部品には、一端から他端まで延びている
接続機構が設けられ且つ接続機構が漢字筆画形態部品の両端面を超えない。
【００５３】
構造３：図２に示すように、漢字筆画形態部品は、両端が繋がって且つ接続部が互いに回
転可能な複数のサブ形態部品構造から構成され、漢字筆画形態部品の１箇所又は複数個所
には、接続機構が設けられる。
【００５４】
形態構造４：漢字筆画形態部品には、一端から他端まで延びており異なる漢字筆画形態部
品を接続するための接続機構が等間隔又は非等間で密に配置されている。
【００５５】
本実施形態では、漢字筆画形態部品は、直線状の構造であってもよく、曲がった構造であ
ってもよい。
【００５６】
本実施形態では、図１（ａ）に示すように、接続機構が設けられていない長さが異なる複
数の構造１、構造２及び構造３における漢字筆画形態部品をさらに備える。本実施形態で
は、図３−図４に示すように、漢字筆画形態部品の一部又は全部は、ホゾ継ぎ構造差込部
材から構成され、前記ホゾ継ぎ構造差込部材は、
一端が滑らかで（本明細では、「滑らかである」とは、表面には差込装置が設けられてい
ないことを意味する）、他端には差込装置が設けられ、表面に接続機構がない形態１と、
一端が滑らかで、他端には差込装置が設けられ、表面に接続機構を有する形態２と、
両端ともに差込装置が設けられ、表面に接続機構がない形態３と、
両端ともに差込装置が設けられ、表面に接続機構を有する形態４とを少なくとも含む。
【００５７】
図３−図４に示すように、本発明では、ホゾ継ぎ接続方式によって差込部材同士が接続さ
れ、具体的には、任意のホゾ継ぎ構造方式が使用可能であり、矩形、楔形、球形などの差
込方式を用い得るが、これらに制限されない。差込部材によって、漢字筆画形態部品の長
さを調整しやすくし、漢字筆画形態部品の長さのデザインを簡素化させ、少ない漢字筆画
形態部品だけで漢字のコンフィギュレーションを実現できる。
【００５８】
本実施形態では、漢字筆画形態部品のうち、１つを標準長の漢字筆画形態部品とし、残り
の漢字筆画形態部品の長さを漢字筆画形態部品の標準長の０．２５−４倍とする。それに
よって、すべての割合の字体が実現可能である。たとえば、標準長の漢字筆画形態部品の
長さが４ｃｍ、残りの漢字筆画形態部品の長さが１ｃｍ〜１６ｃｍであるようにすれば、
すべての漢字が構成され得る。
【００５９】
本実施形態では、接続機構は、異なる漢字筆画形態部品を接続するための面ファスナー、
磁石又はホゾ継ぎ構造である。以上の構造により異なる漢字筆画形態部品が接続される。
ホゾ穴、ホゾ口、ホゾ溝、及びホゾ継ぎ構造を接続する凹溝又は突起を設けることで、ホ
ゾ継ぎ構造が接続され、２つ筆画部品は、ホゾ継ぎ構造を用いて接合される。また、一部
の筆画の間にホゾ、ホゾホール、ホゾ仕口を設けて、込み栓止め方法によって文字筆画と
筆画とを互いに接合して接続してもよく、具体的には、長短ホゾ、栓打ちホゾ、燕尾&#27
051;、抱肩ホゾ、栓差しホゾ、留め先差しホゾ、挟頭ホゾの構造を用いることができ、ホ
ゾ継ぎ構造は、古い工法でありながら、長い歴史に亘って形成された文化的形態である。
物理的な結合、分離、接合、挿入を活用して、中国の古典文化を最も網羅的に示唆したり
表現したりするこができるシンボルを具体化して、ラテン文字の漢字化に適したモダンア
ートとなる視覚的な言語に変換して、漢字の筆画に隠した魂を表現し、ホゾ継ぎ構造によ
って漢字筆画記号に生命力を付与する。
【００６０】
本実施形態では、異なる漢字筆画形態部品を接続するときに、一部又は全部の漢字筆画形
態部品は、その接続点の周りに回転可能である。
【００６１】
本発明の別の好適実施形態では、漢字筆画形態部品の中央及び一端には、ホゾ穴、ホゾ口
、ホゾ溝、又は面ファスナー、又は磁石が設けられる場合、もしくは、漢字筆画形態部品
の中央及び両端には、ホゾ穴、ホゾ口、ホゾ溝、又は面ファスナー、又は磁石が設けられ
る場合、ホゾ穴、ホゾ口、ホゾ溝、面ファスナー又は磁石は、たとえば図１（ｅ）に示す
ように、一体に接続され得る。それは、漢字筆画形態部品の多様化を実現する。
【００６２】
本実施形態では、漢字筆画形態部品は、二次元漢字筆画形態部品又は三次元漢字筆画形態
部品である。
【００６３】
二次元漢字筆画形態部品である場合、ホゾ穴、ホゾ口、ホゾ溝は、二次元漢字筆画形態部
品を貫通しており、面ファスナー、磁石及び差込用の凹溝又は突起は、二次元漢字筆画形
態部品の表面に設けられる。
【００６４】
三次元漢字筆画形態部品である場合、ホゾ穴、ホゾ口、ホゾ溝は、三次元漢字筆画形態部
品の表面から三次元漢字筆画形態部品の内部の所定深さに設けられるか、三次元漢字筆画
形態部品の四面には、ホゾ穴、ホゾ口、ホゾ溝が開けられるか、又は三次元漢字筆画形態
部品の対向する両面には、ホゾ穴、ホゾ口、ホゾ溝は、三次元漢字筆画形態部品の対向面
を貫通して設けられ、面ファスナー、磁石及び差込用の凹溝又は突起は、三次元漢字筆画
形態部品の少なくとも１つの表面に設けられる。二次元漢字筆画形態部品又は三次元漢字
筆画形態部品を設置することによって、二次元漢字及び三次元漢字が形成されて、学習や
応用に利便性を与える。
【００６５】
本実施形態では、さらに釘状部、具体的には、金属釘、プラスチック釘又は木材釘を設け
てもよく、二次元漢字筆画形態部品及び三次元漢字筆画形態部品は、釘状部を介して接続
及び／又は固定され得る。
【００６６】
本実施形態では、接続栓をさらに備えてもよく、接続機構がホゾ穴、ホゾ口、ホゾ溝であ
る場合、前記接続栓は、２つ又は３つの漢字筆画形態部品の接続機構を貫通して該２つ又
は３つの漢字筆画形態部品を一体に接続し、前記接続栓の末端が漢字筆画形態部品から突
出し又は漢字筆画形態部品と面一になる。接続栓により漢字がコンフィギュレーションさ
れ、接続栓の末端を漢字筆画形態部品から突出させることにより、引っ掛けやすくする。
具体的には、３種類の接続栓が設置され得るが、これらに制限されず、図６に示すように
、６（ａ）のボルトの頂面が「−」符号、６（ｂ）のボルトの頂面が「＋」符号、６（ｃ
）のボルトの頂面が六角形符号であり、それによって、異なるレベルの接続が実現される
。
【００６７】
構造４：図５（ａ）、図５（ｂ）及び図５（ｃ）に示すように、漢字筆画形態部品には、
一端から他端まで延びており異なる漢字筆画形態部品を接続するための接続機構が等間隔
又は非等間隔で密に配置されており、漢字筆画形態部品は、直線状のものであってもよく
、曲がったものであってもよい。本実施形態では、接続機構は、スルーホール、磁石又は
面ファスナーであってもよく、一面が凸起した一方、他面が凹孔である構造であってもよ
い。図５（ｄ）〜図５（ｇ）は、異なる漢字筆画形態部品の接続模式図を示し、その中で
も、図５（ｅ）は、差込形態を用い、図５（ｄ）、図５（ｆ）及び図５（ｇ）では、接続
部における接続機構がスルーホールであり、接続栓により接続され、且つ、図５（ｄ）、
図５（ｆ）のように２つ漢字筆画形態部品が接続された場合、２つ漢字筆画形態部品は、
互いに回転可能である。
【００６８】
本実施形態では、漢字筆画形態部品に使用される材料は、木材、プラスチック、金属、ガ
ラスのうちの１種又はこれらの任意の組み合わせである。数の材料が使用可能であるため
、実現も表示の多様化も容易になる。
【００６９】
本発明はさらに、ラテンアルファベット文字又は数字文字を漢字化させる漢字ホゾ継ぎ構
造システムを提供し、このシステムは、２６個のラテン大文字の一部又は全部及び／又は
２６個のラテン小文字の一部又は全部に対してその一部又はすべての筆画が漢字字形の割
合でブロック化され、一部または全部のブロック化漢字筆画部品のホゾ継ぎ構造接続部が
重ね合わせ、重なり又は挿通することで、ラテン文字漢字化用の漢字文字形態構造が形成
され、又は、０−９の１０個のアラビア数字の一部又は全部の筆画が漢字字形の割合でブ
ロック化され、一部または全部のブロック化筆画部品のホゾ継ぎ構造接続部が重ね合わせ
、重なり又は挿通することで、数字漢字化用の漢字文字形態構造が形成され、又は、壱〜
拾の１０個の漢数字の一部又は全部の筆画が漢字字形の割合でブロック化され、一部また
は全部のブロック化筆画部品のホゾ継ぎ構造接続部が重ね合わせ、重なり又は挿通するこ
とで、数字漢字化用の漢字文字形態構造が形成される。本実施形態では、ブロック化漢字
筆画部品は、本発明の漢字化用の漢字形態構成部品における漢字筆画形態部品である。
【００７０】
本発明に係るラテンアルファベット文字又は数字を漢字化させる漢字ホゾ継ぎ構造システ
ムでは、ラテン文字又は数字をホゾ継ぎ構造により漢字化させることによって、現代漢字
の構築及び表示を実現する。
【００７１】
本発明の一好適実施形態では、２６個のラテン大文字に対応した漢字文字形態ホゾ継ぎ構
造は、表５に示される。２６個のラテン小文字に対応した漢字文字形態ホゾ継ぎ構造は、
表６に示される。表４及び表６から明らかなように、本発明のブロック化筆画構造をホゾ
継ぎで接続することで、ラテン大文字及びラテン小文字に対応した漢字文字形態ホゾ継ぎ
構造を構成し、これら漢字文字形態ホゾ継ぎ構造のうちの一部又は全部から漢字に必要な
部首を形成して、さらにすべての漢字を形成することができる。
【００７２】
表５、ラテン大文字と漢字文字形態ホゾ継ぎ構造との対応関係
0006714227.tif 000006
【００７３】
表６、ラテン小文字と漢字文字形態ホゾ継ぎ構造との対応関係
0006714227.tif 000007
【００７４】
本実施形態では、旧漢字の一部又は全部の筆画が漢字字形の割合でブロック化され、一部
又は全部のブロック化筆画部品のホゾ継ぎ構造接続部が重ね合わせ、重なり又は挿通する
ことで、旧漢字の漢字文字形態ホゾ継ぎ構造が形成されるようにしてもよい。旧漢字を利
用して現代漢字の構築及び表示が実現される。
【００７５】
本実施形態では、１つの筆画は、書き方向が１つの方向であるとともに折られることがな
く、又は、書き方向の少なくとも１つの角度で折られるものを意味する。
【００７６】
本発明の別の好適実施形態では、ラテン文字又は数字の漢字文字形態構造には、一段接続
部材と二段接続部材が設けられ、同一ラテン文字又は数字の漢字文字形態構造の２つのブ
ロック化筆画の接続部が一段接続部材を介して接続され、２つのブロック化筆画が一段接
続部材の接続中心の周りに任意方向に回転可能であり、異なるラテン文字又は数字の漢字
文字形態構造は、互いに二段接続部材を介して接続され、接続するときに異なるラテン文
字又は数字の漢字文字形態構造は、相対的に固定されている。同一ラテン文字又は数字の
漢字文字形態構造の２つのブロック化筆画の接続部が一段接続部材を介して接続され、２
つのブロック化筆画が一段接続部材の接続中心の周りに任意方向に回転可能であり、鏡像
、反転、回転などを利用して異なる漢字のコンフィギュレーション及び表示が実現される
。
【００７７】
本発明の別の好適実施形態では、三段接続部材をさらに備え、二段接続部材を介して接続
された形態構造とほかのラテン文字又は数字の漢字文字形態構造は、三段接続部材を介し
て接続され、接続するときに異なるラテン文字又は数字の漢字文字形態構造は、相対的に
固定されている。三段接続部材によって複雑な漢字のコンフィギュレーション及び表示が
実現される。
【００７８】
本発明の別の好適実施形態では、前記一段接続部材、二段接続部材及び三段接続部材は、
いずれもホゾ穴、ホゾ口、ホゾ溝差込用の凹溝又は突起、接続栓、磁石又は面ファスナー
である。本実施形態では、さらに釘状部、具体的には、金属釘、プラスチック釘又は木材
釘を設けてもよく、漢字文字形態構造及び漢字文字形態構造における漢字筆画形態部品は
、釘状部を介して接続及び／又は固定され得る。複数の接続部材により組み合わせが多様
化されている。
【００７９】
接続部材としては、具体的には、図６に示したボルトを使用することができ、ボルトを接
続部材として用いる場合、図６（ａ）に示すように、一段接続部材の頂面が「−」符号、
図６（ｂ）に示すように、一段接続部材の頂面が「＋」符号、図６（ｃ）に示すように、
三段接続部材の頂面が六角型符号であり、それによって、異なるレベルの接続が実現され
る。
【００８０】
図７は、本発明の漢字形態構成部品における漢字筆画形態部品で形成された漢字ホゾ継ぎ
構造であり、図には、Ｅの漢字ホゾ継ぎ構造が示されており、４個の漢字筆画形態部品が
使用されるが、そのうちの３本は、図１（ｅ）の構造、１本は、図１（ｄ）の構造であり
、一段ボルトを介して固定されている。図８は、異なる漢字筆画形態部品を用いて「Ｅ」
の漢字ホゾ継ぎ構造から形成された変形構造である。これら漢字ホゾ継ぎ構造には、３本
の図１（ｅ）の漢字筆画形態部品、１本の図１（ｄ）の漢字筆画形態部品が使用されてい
るが、使用される図１（ｅ）の漢字筆画形態部品の長さが異なり、図示から明らかなよう
に、漢字ホゾ継ぎ構造は、鏡像、異なる漢字筆形態部品同士の移動及び回転によって、構
成部分として複数の部首又は完全な漢字を構成することができ、これは、本発明の中核で
ある。たとえば、１行目であって１列目の漢字ホゾ継ぎ構造は、旧漢字「&#20218;」（ｃ
ａｎｇ）の下部、１行目であって３列目の漢字ホゾ継ぎ構造は、漢字「雪」の下部、１行
目であって４列目の漢字ホゾ継ぎ構造は、漢字「山」、２行目であって１列目の漢字ホゾ
継ぎ構造は、漢字「虐」、「瘧」、「&#30111;」の下部、２行目であって２列目の漢字ホ
ゾ継ぎ構造は、旧漢字「雨」字の中央の部分、３行目であって２列目の漢字ホゾ継ぎ構造
は、漢字「&#24069;」の右部分、３行目であって３列目の漢字ホゾ継ぎ構造は、漢字「君
」の上部、２行目であって３列目の漢字ホゾ継ぎ構造は、「隶」、２行目であって３列目
の漢字ホゾ継ぎ構造は、「出」の上部、４行目であって１列目の漢字ホゾ継ぎ構造は、漢
字「&#20016;」、４行目であって３列目の漢字ホゾ継ぎ構造は、漢字「王」、４行目であ
って２列目の漢字ホゾ継ぎ構造は、漢字「&#24102;」の上部、５行目であって３列目の漢
字ホゾ継ぎ構造は、漢字「理」の左側の偏旁、４行目であって４列目の漢字ホゾ継ぎ構造
は、漢字「任」の右部分、５行目であって１列目の漢字ホゾ継ぎ構造は、漢字「印」の左
側の偏旁、６行目であって１列目の漢字ホゾ継ぎ構造は、漢字「&#24405;」としてもよい
。
【００８１】
漢字を構成するときに、異なる漢字ホゾ継ぎ構造は、接続部材を介して互いに接続されて
もよいし、接続されずに並べて配置されてもよい。たとえば「任」字の左右の２つの部分
は、接続されずに異なる漢字ホゾ継ぎ構造を漢字の書き法則に従って平行に配置すればよ
い。
【００８２】
本発明の別の好適実施形態では、ラテン文字又は数字の漢字文字形態構造では、接続栓を
接続部材として接続を行う場合、ブロック化漢字筆画部品の一部又は全部は、接続部材に
は貫通溝が設けられ、１つのブロック化漢字筆画部品の接続点がそれに接続されたブロッ
ク化漢字筆画部品の貫通溝に沿って移動及び／又は回転可能である。このように、漢字文
字形態構造における一部のブロック化漢字筆画部品の水平移動、異なる漢字のコンフィギ
ュレーション及び表示が可能になる。
【００８３】
本発明の別の好適実施形態では、さらに仕上げ部分を備え、前記仕上げ部分は、ブロック
化漢字筆画部品に取り外し可能に接続され且つその端面がブロック化漢字筆画部品の端面
のサイズ、寸法と同じである。仕上げ部分によって構造された漢字は、一般的に使用され
ている漢字構造により合わせる。
【００８４】
図９に示す「来」を例にすれば、本実施形態では、「来」字を構成するには、３つのラテ
ン文字に対応した漢字文字形態ホゾ継ぎ構造、即ち、図（ａ）（ｂ）（ｃ）に順次示され
たラテン大文字Ｔ、Ｖ、Ｋに対応した漢字文字形態ホゾ継ぎ構造が必要とされる。図９（
ａ）のラテン大文字Ｔに対応した漢字文字形態ホゾ継ぎ構造において、縦方向のブロック
化漢字筆画部品の頂端から中央部まで連通しているホゾ溝が設けられ、ラテン文字Ｖに対
応した漢字文字形態ホゾ継ぎ構造の一段接続部材は、Ｔに対応した漢字文字形態ホゾ継ぎ
構造における縦方向のブロック化漢字筆画部品のホゾ溝の底端に接続される。ラテン文字
Ｋに対応した漢字文字形態ホゾ継ぎ構造を時計回りで９０度回転し、三段接続部材を介し
てＴに対応した漢字文字形態ホゾ継ぎ構造における縦方向のブロック化漢字筆画部品のホ
ゾ溝の底端に接続する。ここで、構成するに当たって、ラテン文字Ｖに対応した漢字文字
形態ホゾ継ぎ構造の接続部材は、ラテン文字Ｋに対応した漢字文字形態ホゾ継ぎ構造の接
続部材と重なり、そのうちの１つだけを使用すればよい。本実施形態では、ラテン文字Ｔ
に対応した漢字文字形態ホゾ継ぎ構造における２つのブロック化漢字筆画部品は、一段接
続部材、即ち図６の（ａ）に示した一段接続ボルトを介して接続され、ラテン文字Ｔに対
応した漢字文字形態ホゾ継ぎ構造とラテン文字Ｖに対応した漢字文字形態ホゾ継ぎ構造は
、二段接続部材、即ち図６の（ｂ）に示した二段接続ボルトを介して接続され、ラテン文
字Ｔに対応した漢字文字形態ホゾ継ぎ構造、ラテン文字Ｖに対応した漢字文字形態ホゾ継
ぎ構造、及びラテン文字Ｋに対応した漢字文字形態ホゾ継ぎ構造は、三段接続部材、即ち
図６の（ｃ）に示した三段接続ボルトを介して接続され、それによって、ホゾ継ぎ構造に
よる「来」字が得られる。
【００８５】
本発明は、ラテンアルファベット文字又は数字文字のホゾ継ぎ構造漢字化漢字入力方法を
提供し、この漢字入力方法では、グループ化したラテンアルファベット文字とラテン文字
の漢字文字形態ホゾ継ぎ構造は、１対１で対応しており、及び／又は数字文字と数字の漢
字文字形態ホゾ継ぎ構造は、１対１で対応しており、前記漢字文字形態ホゾ継ぎ構造は、
ラテンアルファベット文字又は数字文字のすべての筆画を漢字字形の書き方式及び割合で
ブロック化したものであり、且つ一部又は全部のブロック化漢字筆画の接続部が重ね合わ
せ、重なり又は挿通し、グループ化したラテン文字は、グループ化したラテン大文字及び
／又はグループ化したラテン小文字を含み、グループ化したラテン大文字とラテン文字の
漢字文字形態ホゾ継ぎ構造との対応関係は、表７に示されるとおりである。
【００８６】
表７、グループ化したラテン大文字と漢字文字形態ホゾ継ぎ構造との対応関係
0006714227.tif 000008
【００８７】
グループ化したラテン小文字とラテン文字の漢字文字形態ホゾ継ぎ構造との対応関係は、
表８に示されるとおりである。
【００８８】
表８、グループ化したラテン小文字と漢字文字形態ホゾ継ぎ構造との対応関係
0006714227.tif 000009
【００８９】
本実施形態では、ラテン文字の漢字文字形態ホゾ継ぎ構造は、また変形体を有し、具体的
には、ラテン文字、ラテン文字の漢字文字形態ホゾ継ぎ構造及びその変形体の対応関係は
、表９に示される。
【００９０】
表９、ラテン文字、ラテン文字の漢字文字形態ホゾ継ぎ構造及びその変形体の対応関係
0006714227.tif 000010
0006714227.tif 000011
【００９１】
アラビア数字と数字の漢字文字形態ホゾ継ぎ構造との対応関係は、表１０に示される。
【００９２】
表１０、アラビア数字と漢字文字形態ホゾ継ぎ構造との対応関係
0006714227.tif 000012
【００９３】
漢数字と数字の漢字文字形態ホゾ継ぎ構造との対応関係は、表１１に示される。
【００９４】
表１１、漢数字と漢字文字形態ホゾ継ぎ構造との対応関係
0006714227.tif 000013
【００９５】
漢字文字形態ホゾ継ぎ構造及びその鏡像、逆像、回転を利用して中国漢字を入力する。
【００９６】
該入力法によれば、漢字の入力及び表示を容易に実施でき、字母文字、数字文字及び漢字
文字には対応関係がないような従来の考え方を変えて、全く異なる文字体系の間の障壁を
破り障害を取り除き、束縛を破り、国際的な中国語教授における漢字書き国際化に適用で
きる学習方法、及び漢字入力法の国際化方法を発明し、漢字をラテン文字化した形態ホゾ
継ぎ構造の（ｇａｏ´ｓ）アート活字を構成している。漢字をラテン文字化した図形（外
観構造）に基づいて筆画をラテン文字及び／又は数字に転写して、記憶するための字母根
拠を提供することで、中国語を勉強するラテン文字を母語とする学生の記憶を強化させる
。
【００９７】
本実施形態では、グループ化したラテン大文字、グループ化したラテン小文字、アラビア
数字及び漢数字を入力する場合、表示される漢字文字形態ホゾ継ぎ構造は、表７−１０に
おける入力文字に対応した漢字文字形態ホゾ継ぎ構造の一部又は全部である。
【００９８】
本発明の一好適実施形態では、ラテン大文字Ｃ、Ｆ、Ｈ、Ｋ、Ｎ、Ｕ、Ｙ、Ｚのうちのい
ずれかを入力すると、ラテン大文字Ａに対応した漢字文字形態ホゾ継ぎ構造が表示され、
ラテン大文字Ｇ、Ｍ、Ｏ、Ｗ、Ｐのうちのいずれかを入力すると、ラテン大文字Ｄに対応
した漢字文字形態ホゾ継ぎ構造が表示され、
ラテン大文字Ｓを入力すると、ラテン大文字Ｅに対応した漢字文字形態ホゾ継ぎ構造が表
示され、
ラテン大文字Ｌ、Ｔ、Ｖ、Ｘのうちのいずれかを入力すると、ラテン大文字Ｊに対応した
漢字文字形態ホゾ継ぎ構造が表示され、
ラテン大文字Ｒを入力すると、ラテン大文字Ｑに対応した漢字文字形態ホゾ継ぎ構造が表
示され、
ラテン小文字ｃ、ｆ、ｈ、ｌ、ｎ、ｔ、ｕ、ｚのうちのいずれかを入力すると、ラテン小
文字ａに対応した漢字文字形態ホゾ継ぎ構造が表示され、
ラテン小文字ｄ、ｐ、ｍ、ｗのうちのいずれかを入力すると、ラテン小文字ｂに対応した
漢字文字形態ホゾ継ぎ構造が表示され、
ラテン小文字ｏ、ｓ、ｋのいずれかを入力すると、ラテン小文字ｅに対応した漢字文字形
態ホゾ継ぎ構造が表示され、
ラテン小文字ｒ、ｖ、ｘ、ｙのうちのいずれかを入力すると、ラテン小文字ｊに対応した
漢字文字形態ホゾ継ぎ構造が表示される。複数種の入力方式が実現される。
【００９９】
ラテン大文字Ａ、Ｃ、Ｆ、Ｈ、Ｋ、Ｎ、Ｕ、Ｙ、Ｚを例にすれば、入力するときに、入力
字母に対応したホゾ継ぎ構造字形を表示させるべき先頭字体として、それに続いて表示さ
せる字形の順番は、入力字母の後の字母の順番に対応したホゾ継ぎ構造字形であり、たと
えば、入力字母がＮであれば、表示させるホゾ継ぎ構造字形の順番は、Ｎ、Ｕ、Ｙ、Ｚ、
Ａ、Ｃ、Ｆ、Ｈ、Ｋに対応したホゾ継ぎ構造字形である。
【０１００】
本実施形態では、漢字文字形態ホゾ継ぎ構造及びその変形体の相対的割合は、漢字構造に
応じて設定される。
【０１０１】
本実施形態では、前記異なる漢字文字形態構造の色が異なるため、漢字の構成識別及び中
国語の学習に寄与する。
【０１０２】
本実施形態では、「来」字を入力する場合を例にすれば、キーボードを介してＴＶＫを入
力し、Ｋに対応したホゾ継ぎ構造字形を時計回りで９０度回転させると、「来」字が出力
される。
【０１０３】
本実施形態における表７−表１０には、一部の基本的な漢字文字形態ホゾ継ぎ構造だけが
示されているが、本発明では、漢字ホゾ継ぎ構造の鏡像回転を制御するボタン、漢字筆画
形態部品の長さ、及び異なる漢字筆画形態部品同士の移動と回転を制御するボタンが設置
され、具体的には、長さの変化、移動及び回転を制御する方法としては、従来技術が使用
されてもよい。
【０１０４】
本発明の別の好適実施形態では、漢字がその複数の解釈に関連付けてデータベースに記憶
されており、漢字又はいずれかの解釈が入力されると、表示画面に表示される内容には、
関連付けられているほかの内容も含まれる。
【０１０５】
本発明の別の好適実施形態では、漢字に対応した一番目の漢字文字形態ホゾ継ぎ構造の前
、又は該漢字に対応した複数の漢字文字形態ホゾ継ぎ構造のうち隣接する漢字文字形態ホ
ゾ継ぎ構造の間、又は該漢字に対応した最後の漢字文字形態ホゾ継ぎ構造の後に、該漢字
に対応した中国語ピンインの声母字母又は声母の頭文字が入力される。たとえば、漢字「
高」を入力する場合、漢字「高」に対応したラテン文字は、「ＡＤＡＤ」、「ｊｄａｄ」
、「ＹＯＮＯ」又は「ｙｏｎｏ」に対応し、もしくは、数字「７０２０」又は「二四三四
」に対応する。「ＡＤＡＤ」を選択すると、表７に記載の対応関係に従って漢字文字形態
ホゾ継ぎ構造を入力し、「ｊｄａｄ」を選択すると、表８に記載の対応関係に従って漢字
文字形態ホゾ継ぎ構造を入力し、「ＹＯＮＯ」又は「ｙｏｎｏ」を選択すると、表９に記
載の対応関係に従って漢字文字形態ホゾ継ぎ構造を入力し、「７０２０」を選択すると、
表１０に記載の対応関係に従って漢字文字形態ホゾ継ぎ構造を入力し、「二四三四」を選
択すると、表１１に記載の対応関係に従って漢字文字形態ホゾ継ぎ構造を入力する。
【０１０６】
本発明では、漢字筆画の間の構造を必要に応じて回転したり分割したりすることができる
筆画文字、漢字化形態ホゾ継ぎ構造を所定の範囲内で自在に移動又は回転可能な空間にデ
ザインすることによって、所望の漢字構造形態の文字を複数種形成することができ、特殊
な漢字文字の場合は、ラテンアルファベット文字の漢字化アート字体及び／又は数字文字
の漢字化アート字体に分割することができ、それによって、変形可能な可動文字記号は、
芸術的なビジュアルロジックと法則に適するようになる。
【０１０７】
ラテンアルファベット文字の筆画と筆画の連結には、可動接続栓の理念を導入することで
、ラテンアルファベット文字の筆画と筆画の連結部を所定の活動空間を有する範囲にデザ
インし、このようにして、所定の活動空間を有する範囲で自在に回転と変形をして所望の
漢字字形文字を構成することができ、それによって、入力法の符号化のための字根文字を
大幅に減少させ、この新しい漢字構造モードが漢字勉強及び漢字書きについての従来の概
念を破る。
【０１０８】
本発明に係る漢字入力法における簡素化されている字根表の変化の重大な意義は、数千年
に亘って使用されてきた漢字勉強、漢字学習、漢字書き及び漢字入力についての考え方を
変えることにある。ラテン文字の漢字化構造についての考え方を変えると、新しい漢字入
力及び漢字教授理論システムが創出されて、漢字に固有の抽象的な筆画に生命力を付与し
、漢字構造における点、堅、横、捺、蔽、折などの漢字筆画を保持したままで、漢字構造
の点、堅、横、捺、蔽、折を用いてラテン文字漢字化文字を構成する。
【０１０９】
本明細書の説明において、用語「一実施例」、「いくついかの実施例」、「例」、「具体
例」、又は「いくつかの例」などの説明は、該実施例又は例にて説明される具体的な特徴
、構造、材料又は特点が本発明の少なくとも１つの実施例又は例に含まれることを意図す
る。本明細書では、上記用語についての例示的な表現は、同じ実施例又は例を示すとは限
らない。さらに、説明する具体的な特徴、構造、材料又は特点は、いずれか１つ又は複数
の実施例又は例において適宜組み合わせてもよい。
【０１１０】
本発明の実施例を示して説明したが、当業者であれば、本発明の原理及び主旨から逸脱せ
ずに、これら実施例について様々な変化、修正、置換および変形を行うことができ、本発
明の範囲は、特許請求の範囲及びその等同物により限定される。
【図１】
0006714227.tif 000020
【図２】
0006714227.tif 000021
【図３】
0006714227.tif 000022
【図４】
0006714227.tif 000023
【図５Ａ】
0006714227.tif 000024
【図５Ｂ】
0006714227.tif 000025
【図６】
0006714227.tif 000026
【図７】
0006714227.tif 000027
【図８】
0006714227.tif 000028
【図９】
0006714227.tif 000029